(57)【要約】【課題】シンプルな構成によりキャップ付き容器に収容された商品を景品付きとすることができるうえ、前記景品として採用することができる対象に広がりをもたせ、商品の販売促進を大いに図ることができ、更には従来の自動販売機を利用した前記景品付き商品の販売も可能とする容器用アタッチメントおよびこれを備えた容器を提供すること。【解決手段】容器本体２およびこの容器本体２の口部に取り付けられるキャップ３を備えた容器１に着脱自在に取り付けられる容器用アタッチメント５であって、前記容器本体２に取り付けられた状態のキャップ３に被さるアタッチメント本体６と、このアタッチメント本体６の内側に設けられ、前記容器本体２の口部の下部に形成された突起４または容器本体２に取り付けられた状態のキャップ３の下部に係止する係止体７とを備えた。【選択図】図１
0003117677.tif 000002
【実用新案登録請求の範囲】
【請求項１】
容器本体およびこの容器本体の口部に取り付けられるキャップを備えた容器に着脱自在に取り付けられる容器用アタッチメントであって、前記容器本体に取り付けられた状態のキャップに被さるアタッチメント本体と、このアタッチメント本体の内側に設けられ、前記容器本体の口部の下部に形成された突起または容器本体に取り付けられた状態のキャップの下部に係止する係止体とを備えたことを特徴とする容器用アタッチメント。
【請求項２】
前記アタッチメント本体が収納部を有している請求項１に記載の容器用アタッチメント。
【請求項３】
前記アタッチメント本体の一部が、前記突起または容器本体に取り付けられた状態のキャップの下部に係止する係止リングおよびこの係止リングに連設された把手部分を有する容器吊り下げ具となっており、この容器吊り下げ具をアタッチメント本体の他の部分から切り取るための弱化線がアタッチメント本体に設けられている請求項１または２に記載の容器用アタッチメント。
【請求項４】
前記アタッチメント本体の一部がクリップとなっており、このクリップをアタッチメント本体の他の部分から切り取るための弱化線がアタッチメント本体に設けられている請求項１または２に記載の容器用アタッチメント。
【請求項５】
前記アタッチメント本体が、内部に収納部を有する収納ボックスを取り外し可能に備えている請求項１または２に記載の容器用アタッチメント。
【請求項６】
請求項１〜５のいずれかに記載の容器用アタッチメントを備えた容器。
【考案の詳細な説明】
【技術分野】
【０００１】
本考案は、例えば、商品（ジュースやコーヒー、茶、酒、ビール等）を収容したペットボトルやボトル缶、ガラス壜等のキャップ付き容器に用いられる容器用アタッチメントおよびこれを備えた容器に関する。
【背景技術】
【０００２】
従来より、ペットボトルやボトル缶、ガラス壜等のキャップ付き容器入りのジュース、コーヒーや茶、酒、ビール等の商品が広く出回っている。そして、最近では、前記キャップ付き容器のネック部分にかけられた袋に景品が収容された景品付きの前記商品が出回っている。
【考案の開示】
【考案が解決しようとする課題】
【０００３】
しかし、上記景品付き商品では、商品に景品をつけることによって商品の販売促進を図ることができるが、袋に収容した景品が大きすぎると、キャップ付き容器を詰めた状態で（隙間をあけない状態で）陳列することが前記景品によって妨げられ、それだけ余分に陳列スペースが必要になるという問題がある。また、従来の自動販売機による販売を目的として上記景品付き商品を自動販売機に装填すると、景品を収容した前記袋が自動販売機の内部に引っ掛かる等の不具合が生じる懸念があり、場合によっては自動販売機の大幅な仕様変更を余儀なくされるという問題もある。
【０００４】
この考案は上述の事柄に留意してなされたもので、その目的は、シンプルな構成によりキャップ付き容器に収容された商品を景品付きとすることができるうえ、前記景品として採用することができる対象に広がりをもたせ、商品の販売促進を大いに図ることができ、更には従来の自動販売機を利用した前記景品付き商品の販売も可能とする容器用アタッチメントおよびこれを備えた容器を提供することである。
【課題を解決するための手段】
【０００５】
上記目的を達成するために、本考案の容器用アタッチメントは、容器本体およびこの容器本体の口部に取り付けられるキャップを備えた容器に着脱自在に取り付けられる容器用アタッチメントであって、前記容器本体に取り付けられた状態のキャップに被さるアタッチメント本体と、このアタッチメント本体の内側に設けられ、前記容器本体の口部の下部に形成された突起または容器本体に取り付けられた状態のキャップの下部に係止する係止体とを備えたことを特徴としている（請求項１）。
【０００６】
前記容器用アタッチメントにおいて、前記アタッチメント本体が収納部を有していることが好ましい（請求項２）。
【０００７】
具体的には、前記容器用アタッチメントにおいて、前記アタッチメント本体の一部が、前記突起または容器本体に取り付けられた状態のキャップの下部に係止する係止リングおよびこの係止リングに連設された把手部分を有する容器吊り下げ具となっており、この容器吊り下げ具をアタッチメント本体の他の部分から切り取るための弱化線がアタッチメント本体に設けられていてもよい（請求項３）。
【０００８】
また、前記容器用アタッチメントにおいて、前記アタッチメント本体の一部がクリップとなっており、このクリップをアタッチメント本体の他の部分から切り取るための弱化線がアタッチメント本体に設けられていてもよい（請求項４）。
【０００９】
また、前記容器用アタッチメントにおいて、前記アタッチメント本体が、内部に収納部を有する収納ボックスを取り外し可能に備えていてもよい（請求項５）。
【００１０】
また、上記目的を達成するために、本考案の容器は、請求項１〜５のいずれかに記載の容器用アタッチメントを備えている（請求項６）。
【考案の効果】
【００１１】
請求項１〜６に係る本考案によれば、シンプルな構成によりキャップ付き容器に収容された商品を景品付きとすることができるうえ、前記景品として採用することができる対象に広がりをもたせ、商品の販売促進を大いに図ることができ、更には従来の自動販売機を利用した前記景品付き商品の販売も可能とする容器用アタッチメントおよびこれを備えた容器が得られる。
【００１２】
すなわち、請求項１に係る本考案では、前記アタッチメント本体および係止体のみからなるシンプルな構成により、キャップ付き容器に容易に取り付けることができる容器用アタッチメントが得られ、この容器用アタッチメントに景品を保持させることにより、キャップ付き容器に収容された商品を景品付きとすることができる。
【００１３】
また、前記アタッチメント本体はキャップ付き容器のキャップに被さるように構成されており、これが前記容器の側方に突出しない形状としておけば、この容器用アタッチメントを取り付けた複数の容器（すなわち、景品付き商品）の詰めた状態の陳列を前記容器用アタッチメントが妨げるということがなく、従って、景品付き商品の陳列に従来よりも大きな陳列スペースが必要になるということがない。しかも、この場合、アタッチメント本体を設けたことにより景品付き商品の径が大きくなるということもないので、従来の自動販売機に上記景品付き商品を装填してその販売に利用することも可能となり、この際、上記自動販売機の大幅な仕様変更は不要である。
【００１４】
そして、前記容器用アタッチメントに景品を保持させる具体的な方法としては、請求項２に記載したように、容器用アタッチメントに収納部を設けて、この収納部内に景品が収容・保持されるように構成してもよいし、請求項３〜５に記載したように、容器用アタッチメントのアタッチメント本体の一部が景品となるように構成してもよい。
【００１５】
従って、上記の構成からなる容器用アタッチメントでは、景品として採用することができる対象が広がり、ひいては商品の販売促進に大いに寄与するものとなる。
【００１６】
また、請求項６に係る考案では、請求項１〜５に記載の容器用アタッチメントを備えているので、上述した効果と同様の効果を奏する容器が得られる。
【考案を実施するための最良の形態】
【００１７】
図１は、本考案の第１の実施の形態に係る容器１の構成を概略的に示す説明図である。この図に示すように、前記容器１は、商品を収容するペットボトルやボトル缶等のキャップ付き容器（この実施の形態では、茶、ジュース、コーヒー等の飲料を収容するペットボトルタイプの飲料容器）である。具体的には、前記容器１は、有底筒状の容器本体２と、この容器本体２の上部に設けられた口部（図示していない）に着脱自在に取り付けられるキャップ３とを備えている。
【００１８】
ここで、前記口部の外周面には雄ねじが設けられ、この雄ねじに螺合する雌ねじが前記キャップ３の内周面に設けられている。そして、このキャップ３は、例えば、ピルファープルーフキャップである。
【００１９】
また、前記容器１は、容器１を成形する工程、容器１に内容物（飲料）を充填する工程、内容物が充填された容器１をキャッピングする工程などを経るものであり、上述のような工程において機械による容器１の持ち上げや運搬等を効率よく行うことができるように、容器１の口部の下部には環状の突起（ワッパ、段とも呼ばれる）４が形成されている。
【００２０】
さらに、前記容器本体２は、有底筒状（この実施形態では有底円筒状）の胴体部２ａと、この胴体部２ａの上側に連設され、上側ほど縮径する肩部２ｂと、この肩部２ｂから前記口部（突起４）までの間に設けられ、口部（突起４）よりも外径の小さい首部２ｃとを備えている。
【００２１】
そして、前記容器１は、この容器１に着脱自在に取り付けられる容器用アタッチメント（以下、アタッチメントという）５を備えている。図２（Ａ）、（Ｂ）および（Ｃ）はそれぞれ、前記アタッチメント５の構成を概略的に示す部分透視斜視図、平面図および横断端面図である。また、図１は、前記アタッチメント５の一部を透視して示している。
【００２２】
図１および図２（Ａ）〜（Ｃ）に示すように、前記アタッチメント５は、前記容器本体２に取り付けられた状態のキャップ３に被さるアタッチメント本体６と、このアタッチメント本体６の内側に設けられ、前記容器本体２の口部の下部に形成された突起４に係止する係止体７とを有している。そして、前記アタッチメント５は、ポリエチレン、ポリカーボネート、ポリプロピレン、ポリエチレンテレフタレートまたはそれらの再生品等によって形成されている。
【００２３】
ここで、前記アタッチメント本体６は、平面視ほぼ円形状の天部８と、この天部８の周縁から垂下するほぼ円筒状の側壁９とを備えている。そして、前記側壁９の内周面の上下方向における中央部に、複数（この実施の形態では１２個）の前記係止体７がその周方向にほぼ等間隔に設けられている。
【００２４】
各係止体７は、図１、図２（Ａ）および（Ｃ）に示すように、適宜の弾性を有する板状をしており、アタッチメント本体６の側壁９の内周面からその内側に、かつ、上下方向に延びるように設けられている。また、各係止体７の下部には、他の部分よりも側壁９の内側に突出する突出部分１０が設けられており、この突出部分１０が前記突起４に係止するように構成されている。
【００２５】
上記の構成からなるアタッチメント５は、容器１に装着された状態（図１参照）では、各係止体７の突出部分１０が突起４に係止すると共に、アタッチメント本体６の側壁９の下端が容器本体２の肩部２ｂに当接し、これにより、容器１から容易に外れない状態となっている。
【００２６】
逆に、容器１に装着された状態のアタッチメント５を容器１の斜め上方向に持ち上げれば、係止体７が弾性変形し、突起４に対する係止体７の係止が解除され、アタッチメント５を容器１から取り外すことができる。
【００２７】
また、図１において、前記アタッチメント本体６の上部、すなわち、係止体７よりも上側の部分は、収納部１１となっており、この収納部１１には各種景品やおつまみ等を収容することができる。
【００２８】
さらに、前記アタッチメント本体６の天部８の一部は、前記突起４に係止する係止リング１２およびこの係止リング１２に連結片１３を介して連設された把手部分１４を有する容器吊り下げ具１５となっており、この容器吊り下げ具１５をアタッチメント本体６の他の部分から切り取るための弱化線１６がアタッチメント本体６に設けられている。
【００２９】
前記係止リング１２は、前記キャップ２の外径よりも大きい内径を有し、前記突起４に係止する複数（この実施形態では６個）の係止部１７をその内側に有している。
【００３０】
前記把手部分１４は、リング状をしており、前記係止リング１２および係止片１３をその内側に配置することができる大きさとなっている。
【００３１】
前記弱化線１６は、アタッチメント本体６の天部８を、適宜に切り込みを入れた状態または薄肉とした状態とすることにより形成されている。この実施の形態では、容器吊り下げ具１５とアタッチメント本体６の天部８における他の部分との間に薄肉部を形成し、これを前記弱化線１６としてある。
【００３２】
上記構成の容器吊り下げ具１５は、弱化線１６を破断させることによりアタッチメント本体６から切り離すことができる。そして、このようにして得られる容器吊り下げ具１５は、図３に示すように、容器１の口部（上部）またはこの口部に取り付けられた状態のキャップ３にその上方から係止リング１２を引っ掛け、この係止リング１２を容器１の突起４に係止させた状態とすれば、把手部分１４を持つことにより、容器１を吊り下げることができるものである。従って、この容器吊り下げ具１５を用いれば、容器１を持ち運ぶ際などに容器１に直に触れずにすむため、容器１が高温あるいは低温であったり、その外面に水滴や汚れなどが付着していたとしても、問題なく取り扱うことができるといった利便性が得られる。
【００３３】
ここで、第１の実施の形態において、容器１は突起４を有するタイプのものに限らず、突起４を有していなくてもよい。この場合、前記係止体７および係止リング１２は、例えば、容器本体２に取り付けられた状態のキャップ３の下部に係止するように構成しておけばよい。
【００３４】
図４（Ａ）および（Ｂ）は、本考案の第２の実施の形態に係るアタッチメント１８の構成を概略的に示す斜視図および平面図である。なお、上記第１の実施の形態で示したものと同一または同等の部材等については同一符号を付し、その再度の説明を省略する。
【００３５】
図４（Ａ）および（Ｂ）に示すように、前記アタッチメント１８は、第１の実施の形態のアタッチメント５と比べて、アタッチメント本体６の天部８の一部が容器吊り下げ具１５ではなくクリップ１９となっている点で異なる。
【００３６】
前記クリップ１９は、図４（Ａ）および（Ｂ）に示すように、平面視がＴシャツを模した形状を呈するように形成されており、ほぼＵ字状の切り欠き部分１９ａを有している。そして、このクリップ１９をアタッチメント本体６の天部８の他の部分から切り取るための弱化線１６がアタッチメント本体６に設けられている。
【００３７】
上記構成のクリップ１９は、前記容器吊り下げ具１５と同様に、弱化線１６を破断させることによりアタッチメント本体６から切り離すことができる（図４（Ａ）参照）。そして、このようにして得られるクリップ１９は、公知のクリップ１９と同様に用いることができる。
【００３８】
なお、アタッチメント１８について上述した構成以外の構成については、アタッチメント５と同一であり、その再度の説明は省略する。
【００３９】
ここで、前記クリップ１９の形状は種々のものとすることができ、例えば、図５（Ａ）に示すように、平面視がハート型であってもよく、図５（Ｂ）に示すように、平面視がほぼ楕円型であってもよい。また、クリップ１９に設ける切り欠き部分１９ａの形状も種々のものとすることができ、例えば、図５（Ａ）に示すような形状であってもよい。
【００４０】
また、第１および第２の実施の形態における弱化線１６も種々の構成とすることができ、例えば、上述したように、容器吊り下げ具１５またはクリップ１９とアタッチメント本体６の他の部分と間に薄肉部を形成してこれを前記弱化線１６としてもよいし、図５（Ｂ）に示すように、容器吊り下げ具１５またはクリップ１９とアタッチメント本体６の他の部分と間にブリッジ部分１６ａを適宜に残しつつ切り欠き部分１６ｂを形成し、これらによって前記弱化線１６を構成してもよい。
【００４１】
図６は、本考案の第３の実施の形態に係る容器２０の構成を概略的に示す説明図である。なお、上記第１または第２の実施の形態で示したものと同一または同等の部材等については同一符号を付し、その再度の説明を省略する。
【００４２】
図６に示すように、前記容器２０は、第１の実施の形態の容器１が備えた前記アタッチメント５とは構成が異なるアタッチメント２１を備えている。すなわち、このアタッチメント２１は、前記容器本体２に取り付けられた状態のキャップ３に被さるアタッチメント本体２２と、このアタッチメント本体２２の内側に設けられ、前記容器本体２の口部の下部に形成された突起４に係止する係止体２３とを有している。なお、アタッチメント２１の成形に用いられる材料は、前記アタッチメント５の成形に用いられる上述の材料と同一である。また、図６は、前記アタッチメント２１の一部を透視して示している。
【００４３】
ここで、前記アタッチメント本体６は、ほぼ円筒状の側壁９と、この側壁９の上部に取り外し可能に設けられた平面視ほぼ円形状の収納ボックス２４とを備えている。
【００４４】
図７（Ａ）および（Ｂ）は、前記収納ボックス２４の構成を概略的に示す斜視図および説明図であり、図６並びに図７（Ａ）および（Ｂ）に示すように、前記収納ボックス２４は、ボックス本体２５と、開閉自在な蓋２６とを備えている。そして、前記ボックス本体２５の下部２５ａは、前記側壁９の上部に嵌まり込むように他の部分よりも外径が小さくなるように形成されていると共に、前記下部２５ａの外周面に設けられた突起２５ｂが側壁９の内周面に当接して、ボックス本体２５が側壁９から容易に抜けることを防止するように構成されている。
【００４５】
また、前記収納ボックス２４は、内部に収納部１１を有し、この収納部１１に各種景品やおつまみ等を収容することができる。
【００４６】
一方、前記側壁９の内周面の上下方向におけるほぼ中央部に、複数（この実施の形態では４個）の前記係止体２３がその周方向にほぼ等間隔に設けられている。図８は、前記アタッチメント本体２１の要部の構成を概略的に示す斜視図であり、図６および図８に示すように、各係止体２３は、適宜の弾性を有する板状をしており、アタッチメント本体６の側壁９の内周面からその内側に、かつ、ほぼ水平方向（厳密には、内側に向かって若干立ち上がる方向）に延びるように設けられている。また、各係止体２３の先端部は、縦断面視ほぼ円形状の係止部分２３ａが設けられており、この係止部分２３ａが前記突起４に係止するように構成されている。なお、前記突起４に対する係止部分２３ａの係止は、上述したように各係止体２３が側壁９の内側ほど立ち上がるように傾斜しているため、適宜の強度で行われることとなる。
【００４７】
上記の構成からなるアタッチメント２１は、容器１に装着された状態では、各係止体２３の係止部分２３ａが突起４に係止すると共に、アタッチメント本体２２の側壁９の下端が容器本体２の肩部２ｂに当接し、これにより、容器１から容易に外れない状態となっている。
【００４８】
逆に、容器１に装着された状態のアタッチメント２１を容器１の斜め上方向に持ち上げれば、係止体２３が弾性変形し、突起４に対する係止体２３の係止が解除され、アタッチメント２１を容器１から取り外すことができる。
【００４９】
さらに、前記アタッチメント本体２２の収納ボックス２４は、側壁９から取り外すことができ、このようにして得られる収納ボックス２４には、上記景品等の他に適宜の物品等を収容することができる。具体的には、前記収納ボックス２４は、例えば、コインストッカーとして用いることができる。
【００５０】
なお、前記収納ボックス２４のボックス本体２５と蓋２６とは、図７（Ｂ）に示すように、連結片２７によって連結されていてもよく、この場合、連結片２７をヒンジとして用いて蓋２６の開閉が行われるように構成されていてもよいし、蓋２６の開閉を行う際に前記連結片２７が破断されるように構成されていてもよい。また、ボックス本体２５と蓋２６とが初めから連結片２７により連結されていなくてもよく、この場合には、前記連結片２７を省くことができる。
【００５１】
ここで、第３の実施の形態においても、容器１は突起４を有するタイプのものに限らず、突起４を有していなくてもよい。この場合、前記係止体２３は、例えば、容器本体２に取り付けられた状態のキャップ３の下部に係止するように構成しておけばよい。
【００５２】
また、第１、第２の実施の形態における係止体７および第３の実施の形態における係止体２３としては、種々の構成のものを採用することができ、例えば、第１、第２の実施の形態において係止体７に代えて係止体２３を用いてもよく、第３の実施の形態において係止体２３に代えて係止体７を用いてもよい。
【図面の簡単な説明】
【００５３】
【図１】本考案の第１の実施の形態に係る容器の構成を概略的に示す説明図である。
【図２】（Ａ）、（Ｂ）および（Ｃ）は、上記実施の形態における容器用アタッチメントの構成を概略的に示す部分透視斜視図、平面図および横断端面図である。
【図３】上記実施の形態における容器吊り下げ具の使用方法を概略的に示す斜視図である。
【図４】（Ａ）および（Ｂ）は、本考案の第２の実施の形態に係る容器用アタッチメントの構成を概略的に示す斜視図および平面図である。
【図５】（Ａ）および（Ｂ）は、第２の実施の形態における容器用アタッチメントの変形例および他の変形例の構成を概略的に示す平面図である。
【図６】本考案の第３の実施の形態に係る容器の構成を概略的に示す説明図である。
【図７】（Ａ）および（Ｂ）は、第３の実施の形態における収納ボックスの構成を概略的に示す斜視図および説明図である。
【図８】第３の実施の形態における容器用アタッチメントの要部の構成を概略的に示す斜視図である。
【符号の説明】
【００５４】
１  容器
２  容器本体
３  キャップ
４  突起
５  容器用アタッチメント
６  アタッチメント本体
７  係止体
【図１】
0003117677.tif 000003
【図２】
0003117677.tif 000004
【図３】
0003117677.tif 000005
【図４】
0003117677.tif 000006
【図５】
0003117677.tif 000007
【図６】
0003117677.tif 000008
【図７】
0003117677.tif 000009
【図８】
0003117677.tif 000010